(57)【要約】【課題】優れた抗菌機能および浄化機能を発揮するとともに、品質が保障され、かつ宣伝効果が得られる環境浄化商品を提供する。【解決手段】二酸化チタンと銀イオンをアパタイトで被覆した微粒子をマスク本体２に塗布或いは含浸させた衛生マスク１に、商品のブランドマークを付記するブランドマーク表示部４と、社名などを付記する宣伝表示部５が設けられている。【選択図】図１
0003152631.tif 000002
【実用新案登録請求の範囲】
【請求項１】
抗菌機能および／または浄化機能が付与された商品に、該商品のブランドマークを付記するブランドマーク表示部、および／または、社名などを付記する宣伝表示部が設けられていることを特徴とする環境浄化商品。
【請求項２】
前記商品が衛生マスクであることを特徴とする請求項１に記載の環境浄化商品。
【請求項３】
前記商品がカレンダー，ポスター或いは造花などの室内装置品であることを特徴とする請求項１に記載の環境浄化商品。
【請求項４】
前記抗菌機能が銀イオンにより付与されていることを特徴とする請求項１または請求項２または請求項３に記載の環境浄化商品。
【請求項５】
前記浄化機能が二酸化チタンにより付与されていることを特徴とする請求項１または請求項２または請求項３に記載の環境浄化商品。
【請求項６】
二酸化チタンと銀イオンをアパタイトで被覆した微粒子を前記商品に塗布或いは含浸させることにより前記抗菌，浄化機能が付与されていることを特徴とする請求項１または請求項２または請求項３に記載の環境浄化商品。
【請求項７】
前記アパタイトがフッ化アパタイトであることを特徴とする請求項６に記載の環境浄化商品。
【考案の詳細な説明】
【技術分野】
【０００１】
本考案は、抗菌機能および／または浄化機能が付与された環境浄化商品に関するものである。
【背景技術】
【０００２】
従来、特許文献１に開示されているように、社名などが記入できる宣伝表示部を設けたカレンダーが存在する。
【先行技術文献】
【特許文献】
【０００３】
【特許文献１】特開２００５−２５４５２９号公報
【考案の概要】
【考案が解決しようとする課題】
【０００４】
上記特許文献１に開示されているカレンダーでは、宣伝表示部に社名などを記入して宣伝効果が得られるものであるが、環境浄化には何ら貢献するものではなかった。
【課題を解決するための手段】
【０００５】
本考案は、環境浄化に貢献することができ、また、宣伝媒体としても機能できる環境浄化商品の提供を目的とし、この目的の少なくとも一部を達成するために以下の手段を採った。
本考案の環境浄化商品は、抗菌機能および／または浄化機能が付与された商品に、該商品のブランドマークを付記するブランドマーク表示部、および／または、社名などを付記する宣伝表示部が設けられていることである。
【考案の効果】
【０００６】
本考案の環境浄化商品では、抗菌機能および／または浄化機能が付与されているため、例えばウイルスや花粉等から身を守ることができ、また、有害物質を良好に除去してクリーンな環境が得られ、同時に、ブランドマーク表示部にされたブランドマークによりその商品の品質が保障される。また、宣伝表示部に付された社名により宣伝効果が得られるものとなる。
【０００７】
また、このような環境浄化商品が衛生マスクであるものとすることもできる。
こうすれば、この衛生マスクを付けることにより、鳥インフルエンザ，豚インフルエンザ，ＭＲＳＡ等による感染を防ぐことができ、或いは良好に身を守ることができ、また、タバコの臭いとか花粉、トイレ，風呂場のカビ等に敏感な人にも有効なものとなる。
また、この衛生マスクにはブランドマークが付されて品質が保障されており、或いは、社名が付記されて宣伝効果を発揮することができ、例えば社名が付された衛生マスクがバス旅行や飛行機の機内などで使用されることにより、より強力な宣伝効果が得られ、また、同じマスクを付けている一群の人が一つの団体であることを良好に確認できるものとなる。
【０００８】
また、本考案の環境浄化商品が、前記商品がカレンダー，ポスター或いは造花などの室内装置品であるものとすることもできる。
こうすれば、カレンダー，ポスター或いは造花を、室内に置くことで、室内の空気が浄化されて、室内の臭い等を良好に除去することができ、また、シックハウス症候群等にも有効なものとなる。同時にカレンダー，ポスター或いは造花にはブランドマークが付されているため、そのカレンダー等の商品価値が上がり、或いは、宣伝表示部に記載されている社名により宣伝効果が得られるものとなる。
【０００９】
また、本考案の環境浄化商品において、前記抗菌機能が銀イオンにより付与されているものとすることもできる。
こうすれば、衛生マスク或いはカレンダー，ポスター，造花等に銀イオンを塗布または含浸等させておけば、銀イオンにより鳥インフルエンザウイルス等に対し優れた抗菌力が発揮されるものとなる。
【００１０】
また、本考案の環境浄化商品において、前記浄化機能が二酸化チタンにより付与されているものとすることもできる。
こうすれば、衛生マスク，カレンダー，ポスター等に二酸化チタンが塗布或いは含浸されていることにより、室内のタバコの臭い等が、良好に二酸化チタンにより分解され、有効な浄化機能が得られるものとなる。
【００１１】
また、本考案の環境浄化商品において、二酸化チタンと銀イオンをアパタイトで被覆した微粒子を前記商品に塗布或いは含浸させることにより前記抗菌，浄化機能が付与されているものとすることもできる。
こうすれば、分解能力の優れた二酸化チタンと殺菌力に優れた銀イオンを吸着能力に優れたアパタイトで被覆することで、細菌，臭い成分等を２４時間吸着し、良好に分解し続けるために、衛生マスクに付与されている場合には、インフルエンザウイルス等の細菌による感染等を確実に防ぐことができ、また、カレンダー，ポスター等に付与されている場合には、室内に置くことで室内の空気が良好に浄化され、クリーンな室内空気にすることができて、アトピー，花粉症，喘息，シックハウス症候群等にも有効に作用し、また、タバコの臭い、トイレ，風呂場のカビ等に対しても有効に作用するものとなる。
【００１２】
また、二酸化チタンと銀イオンが付与された環境浄化商品において、前記アパタイトがフッ化アパタイトであるものとすることもできる。
こうすれば、フッ化アパタイトは酸性に強いために、酸性環境下でも良好に抗菌，浄化機能を持続して、細菌や臭いを良好に除去できるものとなる。
【図面の簡単な説明】
【００１３】
【図１】衛生マスクの正面構成図である。
【図２】アイマスクの正面構成図である。
【図３】ポスターの正面構成図である。
【考案を実施するための形態】
【００１４】
次に、本考案を実施するための形態を実施例を用いて説明する。
【実施例１】
【００１５】
図１は、衛生マスクの正面図であり、衛生マスク１は、マスク本体２の左右側に、耳に掛止することのできる紐３，３が設けられている。
また、マスク本体２の右端側下部部位には、ブランドマークが付記されたブランドマーク表示部４が設けられており、また、マスク本体２の左端側の上部部位には、社名等を付記した宣伝表示部５が設けられている。
この衛生マスク１のマスク本体２には、二酸化チタンと銀イオンをアパタイトで被覆した微粒子が含浸されている。
なお、マスク本体２に、銀イオンのみが塗布或いは含浸されている場合もあり、或いは二酸化チタンの微粒子のみが塗布或いは含浸されている場合もある。
【００１６】
このような衛生マスク１は、例えば、バス旅行を企画した○○トラベルがその社名を宣伝表示部５に付記して、バスに乗車する際等にお客にこの衛生マスク１を配布して使用してもらうものである。
バス旅行中にこの衛生マスク１を使用することにより、鳥インフルエンザウイルス，豚インフルエンザウイルス或いはＭＲＳＡによる感染が防がれ、また、アトピー，花粉症，喘息，シックハウス症候群等にも有効に作用し、更にはタバコの臭いやトイレ，その他のカビ等に敏感な人に対しても効果が得られるものである。
【００１７】
即ち、二酸化チタンと銀イオンをアパタイトで被覆した微粒子が塗布或いは含浸された衛生マスク１では、分解能力に優れた二酸化チタンと殺菌力の優れた銀イオンを備えており、更にはアパタイトが吸着能力を発揮して、ウイルス等を良好にアパタイトが吸着し、これを二酸化チタンにより分解し、また銀イオンにより良好に殺菌或いは除菌することができ、２４時間これらの吸着，分解作用が発揮されるため、安全な環境下で旅行等を楽しむことができるものとなる。
【００１８】
なお、このような衛生マスク１を旅行中等に使用すれば、バス旅行の団体であることが一目瞭然に判るため、はぐれたり違うバスに乗ったりするようなトラブルも良好に防ぐことができるものとなる。
なお、ブランドマーク表示部４に付されているブランドにより、衛生マスク１の品質が保障され、価値のある衛生マスク１として認識されるものであり、更には、宣伝表示部５に付記されている社名により、例えば旅行会社等の宣伝も効果的に行えるものとなる。
【００１９】
なお、バス旅行の団体にこの衛生マスク１を渡す以外に、展示会やコンサート会場などの入口でも、このような衛生マスク１を入場者にプレゼントすることにより、良好に宣伝効果が得られるとともに、使用する人の安全も良好に確保されるものである。
【００２０】
なお、通常のマスクでは、ウイルス等の細菌や臭い成分等が付着した場合には、マスク本体２にそれらの物質が付着して溜まってしまうが、本考案の衛生マスク１では前述した如く、二酸化チタンの分解能力により付着したウイルス等は順次分解されてゆくため、マスク本体２にウイルス等の菌や臭い成分等が溜まることがなく、長時間に亘りこの衛生マスク１を使用することができるものとなる。
【実施例２】
【００２１】
次に、図２は、アイマスクの正面図を示し、このアイマスク１１のマスク本体１２の左右側には耳に掛止できる紐１３，１３が設けられている。
また、マスク本体１２の下端中央部には、上方へ凹ませて凹部１２ａが形成されており、このアイマスク本体１２を目に当てて使用する際に、この凹部１２ａが鼻の上端部分に配置されるものである。
このアイマスク１１のマスク本体１２においても、右端下部部位にブランドマークを付記したブランドマーク表示部１４が設けられ、また、マスク本体１２の左端上部部位には、社名等を付記した宣伝表示部１５が設けられている。
【００２２】
このアイマスク１１においても、マスク本体１２には、二酸化チタンと銀イオンをアパタイトで被覆した微粒子が塗布或いは含浸されている。
【００２３】
このようなアイマスク１１は、ホテルや航空会社或いは旅行会社等が、その宣伝表示部１５に自社の社名を付記してお客に配布するものであり、良好に宣伝効果が発揮されるものである。
また、特に花粉症等に効果があり、良好に目を保護することができるものとなる。
【実施例３】
【００２４】
次に、図３ではポスターの正面図を示す。
このポスター２１は室内の壁面等に掛けられるものであり、ポスター２１の右端下部部位にはブランドマークを付記したブランドマーク表示部２４が設けられ、また、ポスター２１の左端側上部部位には社名等を付記した宣伝表示部２５が設けられている。
即ち、このポスター２１をお客に配布した会社の社名が宣伝表示部２５に付記されて会社の宣伝効果が達成されるものであり、また、ブランドマーク表示部２４のブランドマークにより、このポスター２１の品質が確保されてポスター２１の価値が高められるものである。
【００２５】
このポスター２１を構成する紙材或いは布材等には、二酸化チタンと銀イオンをアパタイトで被覆した微粒子が塗布或いは含浸されている。
【００２６】
このようなポスター２１においても、室内の壁等に掛けておくことにより、室内の空気が良好に浄化されてインフルエンザウイルス等が除去されてゆくものであり、また、室内のタバコの臭い等を良好に除去して快適な室内の空気環境が得られるものとなる。
【００２７】
なお、ポスター２１の他に、室内に置かれるカレンダーや造花などにも、ブランドマーク表示部２４と宣伝表示部２５を設けて、カレンダーや造花の品質を保障し、また、宣伝効果を得ることができるものであり、更に、塗布或いは含浸されている二酸化チタンと銀イオンをアパタイトで被覆した微粒子により、ウイルス等を良好に吸着し、二酸化チタンにより分解し、また銀イオンにより良好に殺菌或いは除菌することができ、２４時間これらの吸着，分解作用が発揮されるため、快適な室内環境が得られるものとなる。
【符号の説明】
【００２８】
１  衛生マスク
２  マスク本体
３  紐
４  ブランドマーク表示部
５  宣伝表示部
１１  アイマスク
１２  マスク本体
１３  紐
１４ブランドマーク表示部
１５  宣伝表示部
２１  ポスター
２４  ブランドマーク表示部
２５  宣伝表示部
【図１】
0003152631.tif 000003
【図２】
0003152631.tif 000004
【図３】
0003152631.tif 000005